(57)【要約】【課題】表裏２面の特性があり、一方は泡立ち性に優れ、他方は肌に柔らかい触感を有して現代人の肌に合った浴用ボディタオルを提供する。【解決手段】地編糸ａにより所要の幅をもってウエール方向に並列された鎖編目と、該鎖編目のコース方向所要の間隔をおいて数コース毎に数ウエール離れたウエール間にわたり緯糸ｂを横振り編成した緯糸挿入部を隣接ウエールに対し位置をずらしてウエール方向千鳥状に配した所要長さのラッセル編地を裏面側とし、該ラッセル編地に更に発泡スポンジを細条に裁断した細条スポンジｃを長さ方向に所要数コース毎に数コース間で数ウエール横振りして互いに並列する波状模様をなすようにに挿入し、止着せしめたラッセル編地を表面側として上記表裏編地を重合し、その周縁部を縁止めして形成せしめた浴用ボディタオルである。【選択図】      図４
2008036062.tif 000002
【特許請求の範囲】
【請求項１】
所要の幅と長さを有する表裏二重の編地が周縁部において一体化されてなる浴用ボディタオルであって、裏面側編地が所要の幅をもってウエール方向に並列編成された鎖編目と、該鎖編目のコース方向所要の間隔をおいて数コース毎に数ウエール離れたウエール間にわたり緯糸を横振り編成した緯糸挿入部を隣接ウエールに対し位置をずらしてウエール方向千鳥状に配したラッセル編地であり、表面側編地が上記裏面側編地の組織に更にスポンジを細条に裁断した細条スポンジを所要数コース毎に長さ方向に数コース間で数ウエール横振りして互いに並列する波状に挿入し、止着せしめたラッセル編地であることを特徴とする浴用ボディタオル。
【請求項２】
所要の幅をもってウエール方向に並列編成された鎖編目と、該鎖編目のコース方向所要の間隔をおいて数コース毎に数ウエール離れたウエール間にわたり緯糸を横振り編成した緯糸挿入部を隣接ウエールに対し位置をずらしてウエール方向千鳥状に配した所要長さのラッセル編地と、該ラッセル編地に更にスポンジを細条に裁断した細条スポンジを長さ方向に所要数コース毎に数コース間で数ウエール横振りして互いに並列する波状に挿入し、止着せしめた所要長さのラッセル編地とを後者のラッセル編地を表面側として表裏重合し、その周縁部を縁止めし形成せしめたことを特徴とする浴用ボディタオル。
【請求項３】
所要の幅をもってウエール方向に並列編成された鎖編目と、該鎖編目のコース方向所要の間隔をおいて数コース毎に数ウエール離れたウエール間にわたり互いに対向して交叉状に緯糸を横振り編成した緯糸挿入部を隣接ウエールに対し位置をずらしてウエール方向千鳥状に配した所要長さのラッセル編地と、該ラッセル編地に更にスポンジを細条に裁断した細条スポンジを長さ方向、所要数コース毎に数コース間で数ウエール横振りしてウエール方向千鳥状の緯糸挿入部間に互いに並列する波状に挿入してなる所要長さのラッセル編地とを前者のラッセル編地を裏面側、後者の細条スポンジ挿入ラッセル編地を表面側として重合し、周縁部を縁止めして形成せしめたことを特徴とする浴用ボディタオル。
【請求項４】
ラッセル編地が天然繊維により編成される請求項１，２または３記載の浴用ボディタオル。
【請求項５】
天然繊維がトウモロコシから作られた生分解性ポリ乳酸繊維である請求項４記載の浴用ボディタオル。
【請求項６】
細条スポンジがセルロース発泡スポンジ、ポリエステルスポンジ又はポリエーテルスポンジからなる群から選ばれた少なくとも１つの細条スポンジである請求項１〜５の何れか１項記載の浴用ボディタオル。
【発明の詳細な説明】
【技術分野】
【０００１】
本発明は新規な浴用ボディタオルに関し、詳しくは表裏２面の特性を有し、一方は泡立ち効果のあるスポンジ、他方は天然繊維を表面に出して現代人の肌に合った浴用ボディタオルに関するものである。
【背景技術】
【０００２】
従来、浴用タオルとしては綿紡績糸１００％のループパイルを表面に顕出したものが一般に多く使用されていたが、綿紡績糸は吸水性は有するが、繰り返し使用による強度低下や、乾燥性，泡立ち性において劣るという欠点を有していた。
【０００３】
そこで、代わるものとしてナイロンやポリエステル等の合成繊維使いのメッシュ編地が開発されて使用されたが、泡立ち性，泡切れ性は優れるとしても皮膚に対する刺激性が強く、肌を傷めるという難点があった。
【０００４】
そのため、近年、上記の問題に対応すべく、綿糸の糸使いを工夫して泡立ち性を向上させたり、綿糸と合成繊維の良さを取り入れた複合素材のボディタオルが検討され、天然繊維生地の緯糸に嵩高な意匠撚糸を織り込んだもの（例えば特許文献１参照）や、片面に天然繊維、他面に化学繊維で編成した２層構造の編み物（例えば特許文献２参照）あるいは天然繊維と合成繊維の３層構造のメッシュ編構造の編地（例えば特許文献３参照）等が提案されている。
【特許文献１】特開２００２−１９１５２７号公報
【特許文献２】特開２０００−２７１０３６号公報
【特許文献３】特開２００２−１５３３９６号公報
【発明の開示】
【発明が解決しようとする課題】
【０００５】
しかしながら、上記緯糸に意匠撚糸を織り込んだものは、柔軟性と泡立ち性の両面を謳っているが、マッサージ効果に主眼があり、風合いに疑問が残り、また、天然繊維と合成繊維の表裏２層構造の編物は表裏構造で使用者に任意の面を選ばせるもので、泡立ち性と触感性を同時に体験できるものではなく、さらに３層のメッシュ編構造のものは、これらの３層が機能するには種々の制約があり、製法においても複雑であって何れも一長一短があり、充分、満足のいくものと云えなかった。
【０００６】
本発明は上述の如き実状に対応し、これに対処すべく特に天然繊維とスポンジの併用を試みることを見出し、一方は泡立ち性のあるスポンジ、他方は肌に柔らかな天然繊維による２面性を与えて泡立ち性と現代人の肌に適合した浴用ボディタオルを提供することを目的とするものである。
【課題を解決するための手段】
【０００７】
即ち、上記目的に適合する本発明は、基本的に所要の幅と、長さを有する表裏二重の編地が周縁部において一体化された構成からなる浴用ボディタオルであって、裏面側編地が所要の幅をもってウエール方向に並列編成された鎖編目と、該鎖編目のコース方向所要の間隔をおいて数コース毎に数ウエール離れたウエール間にわたり緯糸を横振り編成した緯糸挿入部を隣接ウエールに対し位置をずらしてウエール方向千鳥状に配したラッセル編地であり、表面側編地が上記裏面側編地組織に更にスポンジを細条に裁断した細条スポンジを所要数コース毎に長さ方向に数コース間で数ウエール横振りして互いに並列する波状に挿入し、止着せしめたラッセル編地であることを特徴とする。
【０００８】
請求項２は上記浴用ボディタオルの一般的な態様で、編成糸により所要の幅をもってウエール方向に並列編成された鎖編目と、該鎖編目のコース方向所要の間隔をおいて数コース毎に数ウエール離れたウエール間にわたり緯糸を横振り編成した緯糸挿入部を隣接ウエールに対し位置をずらしてウエール方向千鳥状に配置した、所要長さのラッセル編地と、該ラッセル編地に更にスポンジを細条に裁断した細条スポンジを数コース間隔で数ウエール横振りして長さ方向に互いに並列する波状に挿入し、止着せしめた所要長さのラッセル編地とを、後者のラッセル編地を表面側として表裏重合し、その周縁部を縁止めして形成せしめた浴用ボディタオルにある。
【０００９】
請求項３は上記浴用ボディタオルにおける緯糸を数コース毎に数ウエール離れたウエール間にわたり互いに対向して交叉状に横振り編成し、該横振り編成による緯糸挿入部をウエール方向千鳥状に配設すると共に、細状スポンジを前記千鳥状の緯糸挿入部の間で並列する波状に挿入せしめたことを特徴とする。
【００１０】
請求項４〜６は、上記本発明浴用ボディタオルを最も効果的ならしめるための態様であり、地編地となるラッセル編地を天然繊維、特に生分解性ポリ乳酸繊維で作成し、スポンジ細条としてセルロース発泡スポンジ、ポリエステルスポンジまたはポリエーテルスポンジから選ばれた少なくとも1つの細条スポンジを用いることを特徴とする。
【発明の効果】
【００１１】
本発明浴用ボディタオルは表裏２枚のラッセル編地よりなり、空隙性が大きく、泡立ち性に優れ、しかも肌触りが柔らかいと共に、表面側に挿入された細条スポンジにより泡立ち性並びに泡持ち性がよく、皮膚に優しく接して触感もよく、浴用スポンジタオルとして極めて効果的である。しかも、編地素材として天然繊維、特にポリ乳酸繊維を使用することにより地球環境に配慮した循環型素材として二酸化炭素排出量の削減となり、頗る有用である。
【発明を実施するための最良の形態】
【００１２】
以下、更に添付図面を参照し、本発明の具体的な態様を説明する。
【００１３】
図は本発明浴用ボディタオルの１例を示し、図１はその表面概観図、図２は図１のＡ−Ａ断面図、図３は本発明浴用ボディタオルの裏面側組織概要図、図４は表面側組織概要図である。
【００１４】
図示の如く本発明浴用ボディタオルは所要幅，所要長さで形成され、図２に示すように表裏２枚の編地１，２の周縁部３を縁止めすることによって表裏一体に作成されている。
【００１５】
ここで上記表裏の各編地は既知のラッセル編機によって編成されたラッセル編地よりなり、裏面側編地２はその基本組織として図３に示すように地編糸ａにより所要の幅をもってウエール方向に並列された鎖編目のコース方向、所要の間隔をおいて数コース毎に数ウエール離れたウエール間にわたり、好ましくは図示の如く互いに左右より交叉する如く対向的に緯糸ｂを横振り編成して緯糸挿入部を形成し、しかもこの緯糸挿入部を隣接する数ウエール間で位置をずらしてウエール方向に千鳥状に、即ち、ジグザグ状をなすように配置せしめて、ジグザグ状の緯糸挿入部をもつラッセル編地として構成されている。
【００１６】
一方、表面側編地１は図４に示すように前記裏面側編地２の組織を基本として、これに更にスポンジを細条に裁断した細条スポンジｃを長さ方向に数コース単位で数ウエール横振りして前記基本組織におけるジグザグ状配置の緯糸挿入部の間に、該ジグザグ状に沿うように互いに並列する波状４に挿入配置し、止着せしめることによって編成され、表面側編地１の表面に上記細条スポンジｃによる並列波状模様４を顕出している。このスポンジを裁断した細条スポンジのラッセル編地への挿入は、本発明の重要な特徴をなし、これによって泡立ち性と肌に適合した柔らかさを与えることができる。使用されるスポンジとしては、特にセルロース発泡スポンジ、ポリエステルスポンジ，ポリエーテルスポンジが好ましく、これを編地に挿入し得る所要細幅に裁断することによって用いられている。勿論、上記スポンジに限らず、目的を逸脱しない限りにおいて他のスポンジの利用も可能であり、これらは更に任意の色に着色することによって色彩効果を付与せしめることができる。
【００１７】
かくして、本発明にあっては、上記の如き表面側編地１と、裏面側編地２を重合し、表面側にスポンジによる波状模様４の色彩効果を顕出して周縁部３を縁止めすることによって浴用ボディタオルとして使用に供される。
【００１８】
上記ボディタオルにおいて、基本をなすラッセル編地を形成する地編糸ならびにジグザグ状に挿入される挿入糸ｂはナイロン，ポリエステルなどの合成繊維糸の使用も可能であるが、天然繊維を用いることが好ましく、とりわけトウモロコシから作られた生分解性ポリ乳酸繊維の使用が好適である。
【００１９】
生分解性ポリ乳酸繊維は自然環境型の生分解性素材であり、地球環境を配慮し、しかも弱酸性素材で肌に優しく、生活汚れに対する防汚性もあり、浴用ボディタオルとして頗る有効である。
【００２０】
なお、上記ボディタオルの大きさは使用目的に応じ適宜選択され、これに合わせてウエール方向に並列される鎖編目、挿入される緯糸の横振り態様、細状スポンジの横振り挿入態様も適宜選定され、必らずしも図示に限られるものではなく、趣旨を逸脱しない限りにおいて変更可能であることは云うまでもない。また、細状スポンジによる並列模様の外、任意の模様とすることも可能である。
【００２１】
以上のようにして所要の幅、所要の長さ、例えば幅１０〜３０ｃｍ。長さ３０〜１１０ｃｍに裁断されたラッセル編地を、その表面側編地１の表面に前記細条スポンジｃによる波状模様４を付与して表裏２枚を重合し、周縁部３を縁止めすることによって浴用ボディタオルが作成され、使用に供することにより泡立ち性がよく、また泡持ち性もよく、極めて優れた洗浄効果を得ると共に、肌を傷めることなく、肌触りが極めて柔らかく快適な使用結果を得ることができる。
【図面の簡単な説明】
【００２２】
【図１】本発明浴用ボディタオルの１例を示す表面側外観図である。
【図２】図１のＡ−Ａ断面概要図である。
【図３】上記浴用ボディタオルの裏面側組織概要図である
【図４】浴用ボディタオルの表面側組織概要図である
【符号の説明】
【００２３】
１：表面側編地
２：裏面側編地
３：周縁部
４：表面の波状模様
ａ：鎖編目
ｂ：緯糸
ｃ：細条スポンジ
【図１】
2008036062.tif 000003
【図２】
2008036062.tif 000004
【図３】
2008036062.tif 000005
【図４】
2008036062.tif 000006